(57)【要約】      （修正有）【課題】折り畳むことで小さな状態で備蓄しておくことのできる省スペース保管対応の災害時用ダンボール製簡易間仕切りを提供する。【解決手段】少なくとも横１，６００ｍｍ、高さ方向となる縦１，６００ｍｍの大きさが得られる方形状のダンボール紙よりなる平坦状の側壁片1を横・縦方向の分割線により田の字形状に分割して４区画を形成し、該分割線の内の１区画を形成する該横方向の分割線の１／２を切断線とし、残りの１／２の横方向の分割線及び縦方向分割線は折り曲げ自在の折り曲げ線とし、側壁片の左右端縁部には紙片よりなる連結部を形成して１単位の連結部付の側壁片とし、該側壁片を他の同様の連結部付側壁片の連結部相互を連結する連結手段により間仕切り壁を組み立て形成してなる。【選択図】図１
2018028226.tif 000002
【特許請求の範囲】
【請求項１】
少なくとも横１，６００ｍｍ、高さ方向となる縦１，６００ｍｍの大きさが得られる方形状のダンボール紙よりなる平坦状の側壁片を横・縦方向の分割線により田の字形状に分割して４区画を形成し、該分割線の内の１区画を形成する該横方向の分割線の１／２を切断線とし、残りの１／２の横方向の分割線及び縦方向分割線は折り曲げ自在の折り曲げ線とし、側壁片の左右端縁部には紙片よりなる連結部を形成して１単位の連結部付の側壁片とし、該側壁片を他の同様の連結部付側壁片の連結部相互を連結する連結手段により間仕切り壁を組み立て形成してなることを特徴とする災害時用ダンボール製簡易間仕切り。
【請求項２】
横・縦方向の切断線及び折り曲げ線に沿って折り曲げ重ねることで１区画分の大きさに折り畳める形状としたことを特徴とする請求項１記載の災害時用ダンボール製簡易間仕切り。
【請求項３】
連結部は、側壁片の左右端縁部から延出した断続筒状体の突出片として、縦方向折り曲げ線を挟んだ左右端縁部において、一方の断続筒状体は他方の断続空間に入り込む位置に形成し連続した連結手段受け入れ部としてなることを特徴とする請求項１又は２記載の災害時用ダンボール製簡易間仕切り。
【請求項４】
断続筒状体は、１区画において左右端縁部の一方側を２個の断続筒状体とし、他方側を１個の断続筒状体とし、その各々の断続空間に嵌合する位置に各々の断続筒状体を形成してなることを特徴とする請求項３記載の災害時用ダンボール製簡易間仕切り。
【請求項５】
連結手段は、側壁片の断続筒状体と別体となる側壁片の断続筒状体とを嵌合した内側空間に挿入自在とした棒状間挿部材としたことを特徴とする請求項３又は４記載の災害時用ダンボール製簡易間仕切り。
【請求項６】
棒状間挿部材は、紙製の長尺部材とし、断続筒状体の１個の長さの約２倍の長さとしたことを特徴とする請求項５記載の災害時用ダンボール製簡易間仕切り。
【発明の詳細な説明】
【技術分野】
【０００１】
本発明は、地震や台風時等において体育館や集会所のような広いスペースでの避難所生活を強いられる場合、個別の生活スペースが避難住民に割り振られることになるが、その生活スペースのプライバシーを確保するための災害時用ダンボール製簡易間仕切りに関する。
【背景技術】
【０００２】
地震や台風時等の災害時には広いスペースが確保できる体育館や集会所のような場所に避難所が設けられ、避難した住民が割り当てられたスペースを生活空間とし、プライバシーを確保するために隣接する他の住民の生活スペースとの間に仕切りを形成することが重要なこととなるが、簡易的なものである程度高さの有る仕切りを形成するには転倒等の問題があった。そこで、それら生活空間相互間を安定性の良いダンボール箱を積み上げることで目線を避けることのできる間仕切り手段としている場合が多く見受けられる。
【０００３】
しかし、それらダンボール箱にあっては空間を狭くする要因となり、薄手の間仕切り手段が求められていた。そこで、ダンボール箱を解体してダンボール紙による仕切り手段が場所をとらない間仕切り手段として有効であるが、それらは薄手のために自立性に欠点があり、従って、高さが低く、避難者が立ち上がった状態では隣接する他の生活空間を覗くことができる状態であった。そこで、ダンボール紙を組み合わせることで薄手のものでも立設状態を維持できる高さの有る間仕切り手段としているが、その組み合わせは煩雑であり、緊急時に素早く対応できるものではなかった。また、それら組み立てる前のダンボール紙は大きなものとなり、予め所定の保管場所に収納しておくスペースを確保しておくことは困難なことであった。
【０００４】
下記する特許文献１は、災害時に避難所に送られてくる物資運搬用のダンボールを有効活用して組み立てることのできる比較的薄手のダンボール紙による簡易間仕切りのための固定部材で、Ｌ字型の内壁と外壁を水平な連結部を介して一体とし、その内・外壁間の直交溝にダンボール紙を入れ込むことでダンボール紙を連結しながら立設組み立てする簡易間仕切りのための固定部材を提供するものである。
【０００５】
また、下記する特許文献２は、講堂や体育館等の避難先での就寝時のプライバシーを守るためにダンボール紙によって床や簡易間仕切りを形成するもので、特に床面からの冷え込みを防ぐために厚手のダンボール紙を敷設するものである。その際、間仕切りとしての機能を有する衝立部材は、ダンボール紙の両端をガムテープにより連結して環状にし、内側床面に枠材に嵌め込んだ厚手のダンボール紙を配置させることにより該衝立部材が内側に折れ込むのを防止して立設状態を維持して間仕切りとしての機能をもたせるものである。
【０００６】
しかし、上記特許文献１は、Ｌ字型のダンボール蓋板固定部材に係るもので、間仕切りとしては一部品にすぎず、また、極めて間に合わせ的なもので、且つ、間仕切り本体となるダンボール紙の入手を待ち、材料の選定から始まるもので、その後の組み立てまでに多くの時間を費やし、更に、一時的とはいえ生活空間を仕切る間仕切りとしては立設に不安定さが残り、また、間仕切りとしては統一性に欠けたものであった。
【０００７】
また、上記特許文献２は、ガムテープでの連結及び内側への転倒防止手段を設けてはいるが、この衝立部材が高さの有る間仕切りとして所定の安定状態を維持することは困難であり、視線を防ぐ高さの有る間仕切りを得ることはできなかった。
【先行技術文献】
【特許文献】
【０００８】
【特許文献１】特開２０１０−２３５１９２号公報
【特許文献２】特開２００６−２４１８８５号公報
【発明の概要】
【発明が解決しようとする課題】
【０００９】
本発明は、上記様々な欠点を解決したもので、少なくとも大人の標準的な目線位置を遮ることのできる高さが得られる薄手の部材を間仕切り手段として採用することにより、他者からの視線を遮ることのできる生活空間を得ることができるもので、且つ、避難者自らが間仕切りとして簡単に組み立てることができるものである。また、生活空間を狭くすることなく、安定した立設強度を得ることができ、更に、平常時となる未使用での保管は、折り畳むことで小さな状態で備蓄しておくことのできる省スペース保管対応の災害時用ダンボール製簡易間仕切りを提供できるものである。
【課題を解決するための手段】
【００１０】
本発明は、少なくとも横１，６００ｍｍ、高さ方向となる縦１，６００ｍｍの大きさが得られる方形状のダンボール紙よりなる平坦状の側壁片を横・縦方向の分割線により田の字形状に分割して４区画を形成し、該分割線の内の１区画を形成する該横方向の分割線の１／２を切断線とし、残りの１／２の横方向の分割線及び縦方向分割線は折り曲げ自在の折り曲げ線とし、側壁片の左右端縁部には紙片よりなる連結部を形成して１単位の連結部付の側壁片とし、該側壁片を他の同様の連結部付側壁片の連結部相互を連結する連結手段により間仕切り壁を組み立て形成してなる災害時用ダンボール製簡易間仕切りを特徴とする。
【００１１】
また、横・縦方向の切断線及び折り曲げ線に沿って折り曲げ重ねることで１区画分の大きさに折り畳める形状とした災害時用ダンボール製簡易間仕切りを特徴とする。
【００１２】
更に、上記連結部は、側壁片の左右端縁部から延出した断続筒状体の突出片として、縦方向折り曲げ線を挟んだ左右端縁部において、一方の断続筒状体は他方の断続空間に入り込む位置に形成し連続した連結手段受け入れ部としてなる災害時用ダンボール製簡易間仕切りを特徴とする。
【００１３】
また、上記断続筒状体は、１区画において左右端縁部の一方側を２個の断続筒状体とし、他方側を１個の断続筒状体とし、その各々の断続空間に嵌合する位置に各々の断続筒状体を形成してなる災害時用ダンボール製簡易間仕切りを特徴とする。
【００１４】
更に、上記連結手段は、側壁片の断続筒状体と別体となる側壁片の断続筒状体とを嵌合した内側空間に挿入自在とした棒状間挿部材とした災害時用ダンボール製簡易間仕切りを特徴とする。
【００１５】
また、上記棒状間挿部材は、紙製の長尺部材とし、断続筒状体の１個の長さの約２倍の長さとした災害時用ダンボール製簡易間仕切りを特徴とする。
【発明の効果】
【００１６】
本発明の災害時用ダンボール製簡易間仕切りは、保管時には折り畳むことで小スペースで保管することができ、使用時には生活空間のプライバシーを確保することができる高さ（縦方向）の有る間仕切りとして組み立てることが可能となった。
【００１７】
また、全体が軽量なので持ち運びができ、且つ、取り扱いがわかり易いため初めての利用者であっても所定の場所に持ち込んで簡単に間仕切りとして組み立てることが可能となった。
【００１８】
更に、側壁片を４枚組み立てることで矩形状となる最小単位の間仕切りを得ることができ、その各角部に柱の役割をする筒状の圧縮及び曲げ強度の有る棒状間挿部材が配置されるので数箇月間にわたって使用しても強度上問題のない間仕切りを得ることが可能となった。
【００１９】
また、薄手の部材をダンボール紙を主体とした再生紙系の紙材料或いは軽量のプラスチック系材料よりなるので使用後において再利用することも可能であり、そのことを含め低価格となる間仕切りを得ることが可能となった。
【図面の簡単な説明】
【００２０】
【図１】災害時用ダンボール製簡易間仕切りの一側壁片の正面図。
【図２】災害時用ダンボール製簡易間仕切りの一側壁片に連結部を形成した正面図。
【図３】（ａ）側壁片相互を連結した状態を示す斜視図、（ｂ）棒状間挿部材の斜視図。
【図４】（ａ）側壁片の縁部に形成した連結部の拡大斜視図、（ｂ）同他の実施例の拡大斜視図。
【図５】（ａ）〜（ｅ）側壁片を連結して間仕切りを形成した異なる大きさの態様を示す平面図。
【図６】災害時用ダンボール製簡易間仕切りの一側壁片の他の実施例の正面図。
【図７】（ａ）側壁片の縁部に形成した連結部の平面図、（ｂ）同連結部を押しつぶした状態の平面図。
【図８】（ａ）角補強部材の組み立てる前の正面図、（ｂ）同組み立てた状態の平面図、（ｃ）角補強部材を組み立てた側壁片に固定した状態の平面図。
【図９】（ａ）〜（ｄ）側壁片を折り畳んだ状態から広げた状態へと変化させた一実施例の正面図。
【図１０】（ａ）〜（ｄ）側壁片を折り畳んだ状態から広げた状態へと変化させた他の実施例の平面図。
【発明を実施するための形態】
【００２１】
以下、図面を参照して本発明の実施の形態を詳細に説明する。
【実施例１】
【００２２】
図１は、本発明の災害時用ダンボール製簡易間仕切りを構成する一側壁片を広げた状態の正面図を示している。本実施例のものは、横方向となる幅は約１，８００ｍｍ、高さとなる縦方向幅は約１，８００ｍｍの方形状のダンボール紙よりなる平坦状の側壁片１としている。上記寸法は最適値であり、間仕切りとして立設したときに他からの目線を避けることのできる標準的な高さとして約１，６００ｍｍ〜約２，０００ｍｍの範囲の寸法が得られる横・縦方向寸法を適宜選択することが可能である。該側壁片１を折り畳むことが可能となるように該側壁片１の中心位置から横方向及び縦方向の第１乃至第４の分割線２〜５により田の字形状に分割し、略等区画となる第１乃至第４の４区画６〜９が得られるようにしている。なお、実施例において、間仕切りの材料となる薄手の部材をダンボール紙として限定記載しているが、軽量プラスチック系材料であっても同様の目的を達成することが可能である。便宜上、ダンボール紙として以下に記載する。
【００２３】
該４区画の内の第１区画６及び第２区画７との間の該横方向の第１分割線２は両者を分断する切断線とし、残りの第２、第３、第４分割線３、４、５は折り曲げ自在の折り曲げ線としている。折り曲げ線は、側壁片の表・裏面部で断続的な切れ目或いは他の折り曲げ易い手段を形成している。切れ目を形成する場合、各々の切れ目が側壁片１の強度に影響しないように形成することで折り曲げ易く、且つ、破断しないようにする。
【００２４】
該側壁片１の左右端縁部には紙を筒状とした連結部を形成している。該連結部は、断続筒状体で、左右端縁部に各々３箇所となる第１乃至第６連結部１０〜１５を形成している。各々の第１乃至第６連結部１０〜１５は、端縁部に沿って等間隔で形成し、連結部間及び該連結部と上下端縁部間には該連結部１０、１１、…の長さと同一寸法となる第１乃至第６断続空間部１６〜２１を形成している。
【００２５】
図２の左端縁部側の第１、第２、第３連結部１０、１１、１２は、側壁片１の縦方向の寸法が約１，８００ｍｍなので該第１連結部１０の長さは３００ｍｍ、第１、第２連結部１０、１１の間に生じる第１断続空間部１６の寸法も３００ｍｍとなる。この寸法とすることにより第１連結部１０と第２連結部１１は第３区画８の区画内に収まることができ、且つ、その間に別体となる連結部を挿入することができる。
【００２６】
該第３区画８の下側に位置する第４区画９における第３連結部１２は、上方に第２断続空間部１７が形成され、第３連結部１２を介して第３断続空間部１８と続くことになる。
【００２７】
他方、第１区画６における右端縁部側は、上方より第４断続空間部１９、第４連結部１３、第５断続空間部２０を形成しており、第２区画７における右端縁部側は、上方より第５連結部１４、第６断続空間部２１、第６連結部１５を形成している。
【００２８】
上記により、該側壁片１と同一形状の別体となる他側壁片１ａとを該側壁片１の右端縁部側で連結する場合、図３（ａ）に示すように、該側壁片１の第４断続空間部１９の位置へ別体の他側壁片１ａの第１連結部１０ａが入り込み、該他側壁片１ａの第１断続空間部１６ａへ該側壁片１の第４連結部１３が嵌合し、該側壁片１の第５断続空間部２０の位置へ該他側壁片１ａの第２連結部１１ａが嵌合し、該他側壁片１ａの第２断続空間部１７ａの位置へ該側壁片１の第５連結部１４が嵌合し、該側壁片１の第６断続空間部２１の位置へ該他側壁片１ａの第３連結部１２ａが嵌合し、該他側壁片１ａの第３断続空間部１８ａの位置へ該側壁片１の第６連結部１５が入り込むことになる。
【００２９】
上記により側壁片１と他側壁片１ａとがその左右端縁部において連結部が相互に嵌合され、直角方向位置或いは水平方向位置で保持できることになる。
【００３０】
該第１〜第６連結部１０ａ、１３、１１ａ、１４、１２ａ、１５は、筒状体とされているので、両者が嵌合された状態ではその内側は第１連結部１０ａの位置から第６連結部１５の位置まで連続した貫通孔２２が形成されることになる。組み立て後において連通した該貫通孔２２に棒状間挿部材２３を挿入することで側壁片１と他の側壁片１ａとを強固に連結することができる。該貫通孔２２へ該棒状間挿部材２３を挿入し易いように該貫通孔２２の上部に位置する上端部に適宜長さの切込み２２ａを形成し、第１連結部１０又は１０ａの側壁部を外側へ折り曲げて該棒状間挿部材２３の入口となる開口部を拡げることができる。
【００３１】
該棒状間挿部材２３は、図３（ｂ）に示すように、側壁片１の連結部と別体となる側壁片１ａの連結部とに挿入できる長さとすることで両者に跨り連結することができ、側壁片１、１ａ相互の立設状態を保持できることになる。
【００３２】
該棒状間挿部材２３は、紙筒状の短長のものを使用することで所定の圧縮強度及び曲げ強度が得られ、軽量化を図ることができる。且つ、該棒状間挿部材２３の長さを短くすることができるので、上方側からの挿入が容易となり、先に挿入したものを後のものが下方側へ押し込み、全体として図３（ｂ）の連続した柱状のものとすることができる。
【００３３】
該棒状間挿部材２３の長さは、側壁片１の縦方向の長さが約１，８００ｍｍの場合、約６００ｍｍとなる。この長さであれば該側壁片１を略１／４の大きさに折り畳んだ場合、その１辺の長さの約９００ｍｍより短くすることができ、収納時に邪魔になることはない。側壁片１の縦方向の長さに応じて該棒状間挿部材２３の長さを調整することができ、全体長の約１／３とする。
【００３４】
第１〜第６連結部１０〜１５は、図４（ａ）に示すように、側壁片１の端縁部の外方へ延設した側壁片１を第１〜第６連結部１０〜１５の長さに切断し、残部となった側壁片１を外壁部２４、２４ａ、２４ｂ及び内壁部２５となるように折り曲げ形成し、該内壁部２５に連続する先端側の取着片２６を側壁片の裏面部２７へ固定することで形成されることになる。また、図４（ｂ）に示すように、該側壁片１の裏面部２７と別体として形成した連結部の一方側外壁部２４ｃとが面一となるように位置させ、内壁部２５ａ側から突出した取着片２６ａを側壁片１の裏面部２７に固定することで所定位置に配設することができる。
【００３５】
上記第１〜第６連結部１０〜１５は、紙を筒状に形成しているので該棒状間挿部材２３を挿入するときは先端に位置する該第１連結部１０、１０ａの開口部を拡げることで該棒状間挿部材２３を挿入し易くすることができ、挿入後にあっては紙の弾力性により該棒状間挿部材２３の外形形状に合った密着状態に復元することができ、連続状体が強固となる柱の役割を成すことができる。
【００３６】
該側壁片１と他の側壁片１ａ、…を上記同様に順次連結することにより、図５（ａ）〜（ｅ）に示すように、１単位、２単位、４単位、…の広さを形成する間仕切りによって囲まれた矩形状、Ｌ字形状、十字形状等の立体間仕切りで仕切られた生活空間を得ることができる。図５（ａ）は、側壁片１を４個組み合わせて立設した間仕切りによって囲まれた最小の１単位の広さとなる生活空間を形成した矩形状のもの、（ｂ）は、該側壁片１を６個組み合わせて立設した間仕切りによって囲まれた２単位の広さとなる生活空間を形成した矩形状のもの、（ｃ）は、側壁片１を８個組み合わせて立設した間仕切りによって囲まれた３単位の広さとなる生活空間を形成したＬ字形状のもの、（ｄ）は、側壁片１を８個組み合わせて立設した間仕切りによって囲まれた４単位の広さとなる生活空間を形成したＬ字形状のもの、（ｅ）は、側壁片１を１２個組み合わせて立設した間仕切りによって囲まれた５単位の広さとなる生活空間を形成した十字形状のものを示している。また、避難所の隅部にあっては側壁片１を２個Ｌ字形状に組み合わせて立設した間仕切りにより１単位の広さとなる生活空間を形成することもできるし、上記の組み合わせや更なる数の側壁片１を組み合わせて大きな単位の広さとなる生活空間を得ることもできる。
【００３７】
生活空間への出入口は、図６に示すように、いずれかの側壁片の第１〜第４区画６〜９の内の上下に隣接位置する区画に切断線による切断部２８を設け、折り曲げ部２９を軸側とした開閉自在の戸３０を形成することができる。
【００３８】
図１、２、６は、側壁片１を展開した状態を示しているが、保管時には第１〜第４分割線２〜５に沿って折り畳まれるので、図１、２の平面の大きさの約１／４の大きさとすることができる。
【００３９】
図７に示すように、第１〜第６連結部１０〜１５は、４角形状の紙よりなる筒状体としているので対角線方向からの押圧力に対しては弱く、図７（ａ）に示す正方形の状態から図７（ｂ）に示す菱形状態へと押しつぶすことができる。この押しつぶしにより側壁片１、…を重ねたときに該第１〜第６連結部１０〜１５が大きく突出することはなく、邪魔になることはない。
【００４０】
また、上記した間仕切りの立設した状態をより強固に維持するために、図８に示すように、側壁片１の直交する連結部に上方から直角三角柱形状に組み立てた角補強部材３１を嵌入固定することができる。
【００４１】
該角補強部材３１は、図８（ａ）の長尺平板状のものに縦方向に３本の縦折り曲げ部３２、３３、３４を設けて４側片が形成されるようにし、左右両端側の側片３５、３６には横方向中央部に横折り曲げ部３７、３８を設け、該折り曲げ部３７、３８に到達する位置まで縦方向に切断部３９、４０を設けている。
【００４２】
上記縦折り曲げ部３２、３３、３４を折り曲げ、且つ、横折り曲げ部３７、３８を少し折り曲げて切断部３９、４０において側片３５、３６を前後に入り込ませることにより、図８（ｂ）に示す直角三角柱形状の角補強部材３１とすることができる。
【００４３】
該角補強部材３１を側壁片１、１ａの隅部に形成した垂直方向の切断部４１、４２に嵌入することにより、組み立てた間仕切りの隅部上端部を強固に固定することが可能となり、全体の強度を高めることができる。
【００４４】
図９（ａ）は、上記第１〜第６連結部１０〜１５を押しつぶした状態で重ねて保管している状態の一実施例を示している。図９（ａ）は、第１区画６の裏面部を最上部として第２〜第４分割線３、４、５を折り曲げて重ねた状態を示している。この状態で第３分割線４を中心に第１区画６を回動すると、図９（ｂ）に示すように、元の２倍の大きさに展開することができる。次に、第２分割線３を中心に重なっている第２、第４区画７、９を回動すると、図９（ｃ）に示すように、元の３倍の大きさに展開することができる。
【００４５】
更に、図９（ｃ）に示す重なっている第２、第４区画７、９の内の第２区画７を第４分割線５中心に回動すると、図９（ｄ）に示すように、元の４倍の大きさとなる平坦な側壁片１を得ることができる。
【００４６】
図１０（ａ）は、上記同様、重ねて保管している状態の他の実施例を示している。図１０（ａ）は、第２区画７の裏面部を最上部として第２〜第４分割線３、４、５を折り曲げて重ねた状態を示している。この状態で第４分割線５を中心に第２区画７を回動すると、図１０（ｂ）に示すように、元の２倍の大きさに展開することができる。次に、第２分割線３を中心に重なっている第１、第３区画６、８を回動すると、図１０（ｃ）に示すように、元の３倍の大きさに展開することができる。
【００４７】
更に、図１０（ｃ）に示す重なっている第１、第３区画６、８の内の第１区画６を第３分割線４を中心に回動すると、図１０（ｄ）に示すように、元の４倍の大きさとなる平坦な側壁片１を得ることができる。
【００４８】
展開した状態の側壁片１に対して上記実施例の逆のことを行うことにより、第１〜第４区画６〜９を折り畳んで略１／４の大きさの側壁片１とすることができる。
【００４９】
折り畳み方は適宜行うことができるが、第１分割線２を切断線として切断しているので、第１、第２区画６、７を各々第３分割線４及び第４分割線５のみが折り曲げ自在とする軸側とすることができ、折り畳んで重ねることが可能となる。その折り曲げる際、第１〜第６連結部１０〜１５を押しつぶすことが可能であるし、重ねたときの連結部１０〜１５相互は各々対向する第１〜第３断続空間部１６〜２１内に入り込むことができるので、かさばることなく合理的に折り畳むことが可能となる。
【実施例２】
【００５０】
上記したいずれかの側壁片１に小孔となる開口部を設けることにより通風口とし、これにより該側壁片１のいくつかを組み立てた後の生活空間内へ外気を積極的に取り入れることが可能となり、換気手段とすることができる。該開口部は、不使用時には視線を避けるために、例えば、内側から薄手のハンカチやタオルを鋲着する等により簡単なカーテンの代用とすることができ、目線回避手段を施すことができる。
【符号の説明】
【００５１】
１                      側壁片
２                      第１分割線
３                      第２分割線
４                      第３分割線
５                      第４分割線
６                      第１区画
７                      第２区画
８                      第３区画
９                      第４区画
１０                    第１連結部
１１                    第２連結部
１２                    第３連結部
１３                    第４連結部
１４                    第５連結部
１５                    第６連結部
１６                    第１断続空間部
１７                    第２断続空間部
１８                    第３断続空間部
１９                    第４断続空間部
２０                    第５断続空間部
２１                    第６断続空間部
２２                    貫通孔
２３                    棒状間挿部材
２４                    一方側外側部
２５                    内壁部
２６                    取着片
２７                    裏面部
２８                    切断部
２９                    折り曲げ部
３０                    戸
３１                    角補強部材
３２、３３、３４        縦折り曲げ部
３５、３６              側片
３７、３８              横折り曲げ部
３９、４０、４１、４２  切断部
【図１】
2018028226.tif 000003
【図２】
2018028226.tif 000004
【図３】
2018028226.tif 000005
【図４】
2018028226.tif 000006
【図５】
2018028226.tif 000007
【図６】
2018028226.tif 000008
【図７】
2018028226.tif 000009
【図８】
2018028226.tif 000010
【図９】
2018028226.tif 000011
【図１０】
2018028226.tif 000012